(57)【要約】【課題】デジタルテレビジョン放送の受信機において、自動利得制御増幅器の構成とその制御方法に関して、希望波以外の大きな妨害波が含まれた場合でも、前記妨害波に影響されない受信を行うための自動利得制御器の提供を目的とする。【解決手段】ＲＦ信号を増幅するＲＦ自動利得制御器と、増幅されたＲＦ信号をＩＦ信号に変換する周波数変換器と、周波数変換されたＩＦ信号を増幅するＩＦ自動利得制御器を備え、前記ＲＦ自動利得制御器は、前記周波数変換器の入力信号をフィードバックすることで利得制御され、さらにフィードバックされる信号と比較することにより前記ＲＦ自動利得制御器の出力レベルの最大値を設定するリファレンス信号入力を備える。【選択図】図１
2005192060.tif 000002
【特許請求の範囲】
【請求項１】
ＲＦ信号を増幅するＲＦ自動利得制御器と、増幅されたＲＦ信号をＩＦ信号に変換する周波数変換器と、周波数変換されたＩＦ信号を増幅するＩＦ自動利得制御器を備え、前記ＲＦ自動利得制御器は、前記周波数変換器の入力信号をフィードバックすることで利得制御され、さらにフィードバックされる信号レベルと比較することにより前記ＲＦ自動利得制御器の出力レベルの最大値を設定するリファレンス信号入力を備えることを特徴とする自動利得制御装置。
【請求項２】
入力信号の変調方式に応じてリファレンス信号のレベルを切替えることを特徴とする請求項１に記載の自動利得制御装置。
【請求項３】
前記ＲＦ自動利得制御器のフィードバックループ間に設けたループ利得増幅器の増幅率を変える事により、前記ＲＦ自動利得制御器のフィードバックの応答速度を可変としたことを特徴とする請求項１または２に記載の自動利得制御装置。
【請求項４】
前記ＩＦ自動利得制御器のフィードバックの応答速度に対して、前記ＲＦ自動利得制御器のフィードバックの応答速度を遅く設定したことを特徴とする請求項３に記載の自動利得制御装置。
【請求項５】
前記ＩＦ自動利得制御器が、波形等価器が出力する伝播路上の不要信号を除去した直交検波後のＩ信号またはＱ信号の信号レベルをフィードバックすることで利得制御されることを特徴とする請求項１から４のいずれかに記載の自動利得制御装置。
【発明の詳細な説明】
【技術分野】
【０００１】
本発明は、デジタルテレビジョン放送受信機の分野に用いられ、自動利得制御増幅器の構成とその制御方法において、希望波以外の大きな妨害波が含まれた場合でも、妨害波による影響を受けない受信を行うための自動利得制御装置に関するものである。
【背景技術】
【０００２】
従来の自動利得制御装置の一例を従来技術１として説明する。この構成を図５に示す。
【０００３】
従来技術１の自動利得制御装置は、広帯域バンドパスフィルタ５０１、ＲＦ−ＡＧＣ増幅器５０２、局部発振器５０３、周波数変換器５０４、ＩＦ選局フィルタ５０５、ＩＦ−ＡＧＣ増幅器５０６、Ａ／Ｄ変換器５０７、レベル検出器５１０、ＲＦ−ＡＧＣ制御部５０９、ＩＦ−ＡＧＣ制御部５０８からなる。
【０００４】
広帯域バンドパスフィルタにより入射したＲＦ入力信号５２０は、デジタル放送帯域の信号のみに除去される。その後、局部発振器５０３で選局された信号を用い周波数変換器５０４でＩＦ信号５２１に変換される。この時、ＩＦ信号５２１には、希望波以外に隣接妨害波等を含んでいる。次に、ＩＦ選局フィルタを通し妨害波を除去し希望波のみにして、Ａ／Ｄ変換器５０７に入る。
【０００５】
Ａ／Ｄ変換器でデジタル信号５２２に変換された信号はデジタル処理を行い、信号の平均振幅を求める。この信号レベルに基づき、予め決めておいたゲイン配分により、ＲＦ−ＡＧＣ制御信号５２４、ＩＦ−ＡＧＣ制御信号５２３をフィードバックし、ＲＦ−ＡＧＣ増幅器５０２およびＩＦ−ＡＧＣ増幅器５０６のゲインを制御し、Ａ／Ｄ変換器５０７への入力信号を一定にする（例えば、特許文献１を参照）。
【０００６】
他の従来の技術に係る自動利得制御装置の一例を従来技術２として説明する。この構成を図６に示す。
【０００７】
この自動利得制御装置は、広帯域バンドパスフィルタ６０１、ＲＦ−ＡＧＣ増幅器６０２、局部発振器６０３、周波数変換器６０４、イメージ信号除去用フィルタ６０５、ＩＦ選局フィルタ６０６、ＩＦ−ＡＧＣ増幅器６０７、Ａ／Ｄ変換器６０８、レベル検出器６０９、６１３、６１４、ＲＦ−ＡＧＣ制御部６１５、ＩＦ−ＡＧＣ制御部６１０からなる。
【０００８】
広帯域バンドパスフィルタにより入射したＲＦ入力信号６２０は、デジタル放送帯域の信号のみに除去される。その後、局部発振器６０３で選局された信号を用い周波数変換器６０４でＩＦ信号６２１に変換される。この時、ＩＦ信号６２１には、希望波以外に隣接妨害波等を含んでいる。この信号から希望波のみを通すＩＦフィルタ６１１と希望波以外のみ通すＩＦフィルタ６１２により、希望波と妨害波の信号レベルを求める。この希望波と妨害波の比および希望波の大きさにより決定したゲインによりＲＦ−ＡＧＣ制御信号６２５をフィードバックし、ＲＦ−ＡＧＣ増幅器６０２を制御する。
【０００９】
ＩＦ選局フィルタ６０６を通し妨害波を除去し希望波のみにした信号がＡ／Ｄ変換器６０８に入る。Ａ／Ｄ変換器でデジタル信号６２３に変換された信号はデジタル処理を行い、信号の平均振幅を求める。この信号レベルに基づいて、ＩＦ−ＡＧＣ制御信号６２４をフィードバックし、ＩＦ−ＡＧＣ増幅器６０７のゲインを制御する（例えば、特許文献２を参照）。
【特許文献１】特開２００２−８４２０５号公報
【特許文献２】特開２００１−７６６９号公報
【発明の開示】
【発明が解決しようとする課題】
【００１０】
従来技術１として示した自動利得制御器の場合、レベル検出器の出力によるＲＦ−ＡＧＣ増幅器およびＩＦ−ＡＧＣ増幅器のゲインおよび配分を予め決めておく必要があり、隣接チャネル等の妨害波がＲＦ入力信号に含まれるときを想定し、周波数変換器への入力レベルにマージンを取る必要がある。これは、実際のＲＦ入力信号が想定していた以上の妨害波が入った場合、周波数変換器により波形を歪まし良好な復調が出来ない。
【００１１】
また、実際のＲＦ入力信号が想定していた妨害波が無かった場合、周波数変換器への入力レベルを大きく出来るにもかかわらず想定したマージンの為、受信感度を犠牲にしていた。
【００１２】
さらに、ＲＦ−ＡＧＣ増幅器およびＩＦ−ＡＧＣ増幅器のゲインを同時に制御するのは複雑で、どちらか一方を動作させるときは片側を止めるという制御を行う為、フェージング等があるＲＦ入力信号の場合、Ａ／Ｄ変換器への入力レベルを適切に設定する事が非常に難しかった。
【００１３】
また、従来技術２として示した自動利得制御器の場合、ＲＦ−ＡＧＣ制御信号は、ＩＦ信号の希望波の大きさと妨害波の大きさを求める必要があり、周波数特性が急峻なＩＦフィルタが必要であり、非常に高価である。また、ＩＦフィルタを安価なフィルタで構成した場合、希望波と妨害波の分離が難しく精度が悪くなると言う問題がある。また、希望波、妨害波のレベル検出器も２個以上必要となる。さらに、希望波と妨害波の比によりＲＦ−ＡＧＣ制御信号レベルを決定する為、複雑なＲＦ−ＡＧＣ制御部が必要となり、非常に高いコストおよび大きなスペースが必要になるという問題があった。
【００１４】
本発明は、このような従来の技術的問題点に鑑みなされたもので、デジタルテレビジョン放送の受信機において、自動利得制御増幅器の構成とその制御方法に関して、希望波以外の大きな妨害波が含まれた場合でも、前記妨害波に影響されない受信を行う為の自動利得制御装置を提供するものである。
【課題を解決するための手段】
【００１５】
上記目的を達成するために、本発明に係る自動利得制御装置は、ＲＦ信号を増幅するＲＦ自動利得制御器と、増幅されたＲＦ信号をＩＦ信号に変換する周波数変換器と、周波数変換されたＩＦ信号を増幅するＩＦ自動利得制御器を備え、前記ＲＦ自動利得制御器は、前記周波数変換器の入力信号をフィードバックすることで利得制御され、さらにフィードバックされる信号と比較することにより前記ＲＦ自動利得制御器の出力レベルの最大値を設定するリファレンス信号入力を備えることを特徴とするものである。
【発明の効果】
【００１６】
本発明の自動利得制御装置によれば、大きな妨害波がＲＦ入力信号に入った場合でも、波形が歪み混変調などの悪影響を起こす事なく良好な受信ができる自動利得制御方法および装置の提供が可能となる。
【００１７】
また、周波数変換器の入力レベルに想定した妨害波用のマージンを取る必要が無く、変調方式に合わせた信号レベルで周波数変換器に入力することも可能であり、受信感度を向上できる。さらに、移動体等に見られる入力信号の変動にも追従し精度の良い利得制御が可能となる。
【発明を実施するための最良の形態】
【００１８】
（実施の形態１）
以下、本発明にかかる自動利得制御装置の実施の形態の一例について、図面を参照し詳細に説明する。
【００１９】
本実施の形態に係る自動利得制御装置全体のブロック構成図を図１に示す。図１において、入射したＲＦ入力信号１２０はデジタル放送帯域の信号のみを取り出す広帯域バンドパスフィルタ１０１に入力され、その出力はフィードバックループを有するＲＦ自動利得制御器に入力される。
【００２０】
このＲＦ自動利得制御器は、ＲＦ帯域の信号を可変利得で増幅するＲＦ−ＡＧＣ増幅器１０２、ＲＦ−ＡＧＣ増幅器１０２の出力レベルを検出しＤＣ電圧信号として出力するＲＦレベル検出器１１０、ＲＦレベル検出器１１０の出力とＲＦリファレンス信号との電圧レベルを比較しＲＦ−ＡＧＣ増幅器１０２の利得増減制御の信号を出力するレベル比較器１１１、ＲＦループ利得制御信号１２６に基づきフィードバックループの利得を増減可能とするＲＦループ利得増幅器１１２からなり、フィードバックループを形成することで当該回路系の利得を自動制御している。
【００２１】
ＲＦ自動利得制御器によって増幅されたＲＦ信号１２１は、ＲＦ信号を中間周波帯域の信号に変換する周波数変換器１０４に入力されＩＦ信号として出力される。この周波数変換は選局したチャンネルに対応した周波数で発振する局部発振器１０３の出力をミキシングすることで行われる。このＩＦ信号は、選局された希望波のみを通すＩＦ選局フィルタ１０５通りＩＦ自動利得制御器に入力される。
【００２２】
このＩＦ自動利得制御器は、中間周波帯域の信号を可変利得で増幅するＩＦ−ＡＧＣ増幅器１０６、アナログ信号を所定のクロックでデジタル信号に変換するＡ／Ｄ変換器１０７、入力信号を直交検波によってＩ信号、Ｑ信号に復調する直交復調器１１３、ナイキスト基準を満たしたうえで帯域制限を行うフィルタであり伝播路上のノイズを除去するロールオフフィルタ１１４、伝送路の影響等で発生する反射波のゴースト波形を除去する波形等価器１１５、直交検波後の信号をデジタル計算によってそのレベルを検知しレベルに応じた値の信号を出力する復調レベル検出器１０８、この復調レベル検出器１０８の出力に基づいてＩＦ−ＡＧＣ増幅器１０６の利得を制御するＩＦ−ＡＧＣ制御部１０９からなり、フィードバックループを形成することで当該回路系の利得を自動制御している。
【００２３】
以上のように構成された本発明にかかる自動利得制御装置について、まず、ＲＦ自動利得制御器の出力レベルの制御動作を説明する。
【００２４】
広帯域バンドパスフィルタ１０１によりデジタル放送帯域の信号のみに除去されたＲＦ信号はＲＦ−ＡＧＣ増幅器１０２に入力される。その後、ＲＦ−ＡＧＣ増幅器１０２を通って増幅されたＲＦ信号１２１は、ＲＦレベル検出器１１０で信号の大きさを検知される。この信号は希望波以外に隣接波等の妨害波を含んでいる為、ＲＦレベル検出器１１０の出力は希望波および妨害波をあわせた信号の大きさになる。
【００２５】
周波数変換器１０４に入る信号１２１が飽和レベルを超えていた場合、周波数変換器１０４で混変調等が生じ受信特性の劣化が起こってしまう。また、周波数変換器１０４に入る信号１２１が小さい場合、周波数変換器１０４の持つノイズの影響が大きくなりＣ／Ｎが劣化し受信特性が悪くなってしまう。このため、周波数変換器１０４へのＲＦ信号１２１は、ＲＦ−ＡＧＣ増幅器１０２で周波数変換器１０４が飽和しない信号レベルで一定に保たれるようＲＦリファレンス信号１２５を設定し、フィードバック制御されている。
【００２６】
ＲＦリファレンス信号１２５は、ＲＦ−ＡＧＣ増幅器１０２の出力レベルを一定に保つようにフィードバック量を決定するリファレンス値を与えるもので、ＲＦレベル検出器１１０の出力レベルとレベル比較器１１１において比較されることでＲＦループ利得増幅器１１２を通してＲＦ−ＡＧＣ増幅器１０２の利得を制御する。つまり、ＲＦリファレンス信号１２５の方がＲＦレベル検出器１１０の出力レベルより大きいときは、ＲＦ−ＡＧＣ増幅器１０２の現利得を大きくするようにフィードバックコントロールされ、小さいときは、現利得を小さくするようにフィードバックコントロールされる。よって、ＲＦリファレンス信号１２５とＲＦレベル検出器１１０の出力レベルが等しくなったところで、ＲＦ−ＡＧＣ増幅器１０２の利得が維持されることになる。
【００２７】
したがって、通常ＲＦリファレンス信号１２５は、周波数変換器が飽和しない最大の入力レベルの信号と等価の信号をＲＦレベル検出器１１０に通したときに、ＲＦレベル検出器１１０から出力される信号レベルの大きさに設定しておくとよい。このようにすれば、ＲＦ−ＡＧＣ増幅器１０２の出力レベルは、周波数変換器が飽和しない最大の入力レベルと常に同じになるように利得制御することが出来る。
【００２８】
また、変調方式により周波数変換器の飽和による混変調等の性能劣化度合いが異なる為、実験的に求めた変調方式ごとのリファレンスレベルに変更しても良い。
【００２９】
ＲＦ−ＡＧＣ増幅器１０２、ＲＦレベル検出器１１０、レベル比較器１１１、ＲＦループ利得増幅器１１２はアナログの部品で構成されており、増幅器・検出器の利得により特性が大きく変わることがある。この時は、周波数変換器１０４に入るＲＦ信号１２１の信号の大きさをスペクトルアナライザ等ではかり、周波数変換器１０４の飽和しない最大入力に合わせてＲＦリファレンス信号を調整することで、アナログ部品のバラツキによる特性の劣化もなくす事が可能となる。
【００３０】
図２と図３を用いて、ＲＦ入力信号レベルとＲＦ−ＡＧＣ増幅率の関係を説明しておく。
【００３１】
図２は、ＲＦ入力信号に妨害波が無い場合のＲＦ入力信号レベルとＲＦ−ＡＧＣ増幅率の関係を示したグラフである。周波数変換器１０４が飽和しないで、かつ最大のＲＦ信号が入力した場合のポイントＰ１において、ＲＦ−ＡＧＣ増幅器１０２のゲインは０ｄＢに設定されている。ＲＦ入力信号レベルが小さくなるにつれて、ＲＦ−ＡＧＣ増幅率は比例して大きくなる。ＲＦ−ＡＧＣ増幅器が、最大利得ポイントＱ１に達するとＲＦ入力信号レベルが小さくなっても一定値を保つ。
【００３２】
図３は、ＲＦ入力信号に妨害波がある場合のＲＦ入力信号レベルとＲＦ−ＡＧＣ増幅率の関係を示したグラフである。ＲＦ入力信号が希望波および妨害波がある場合、周波数変換器１０４が飽和しないで、かつＲＦ信号レベルが最大の入力ポイントがＰ２である。ＲＦ入力信号レベル（希望波と妨害波の和）が小さくなると、ＲＦ−ＡＧＣ増幅率は比例して大きくなる。ＲＦ−ＡＧＣ増幅器１０２が、最大利得ポイントＱ２に達するとＲＦ入力信号レベルが小さくなっても一定値を保つ。今、ＲＦ入力信号に妨害波がある場合の希望波の入力信号レベルとＲＦ−ＡＧＣ増幅率の関係を考えると、直線Ｐ２−Ｑ２から妨害波の大きさのレベルを引いた直線Ｒ２−Ｓ２となる。これは、通常妨害波を想定し、その大きさ分のマージンを増幅器の利得に取っているのを、マージンを全く取らずかつ自動で妨害波に最適なＲＦ−ＡＧＣ増幅器１０２の利得を実現するものである。
【００３３】
図４はＲＦ−ＡＧＣ増幅器１０２の入力信号と出力信号の関係を図示したものである。図４（ａ）に示す入力信号が希望波のみの場合、出力信号は周波数変換器１０４の飽和しない最大入力レベルになっていることがわかる。次に、図４（ｂ）に示す入力信号に希望波と妨害波が同じレベルで入った場合は、出力信号は周波数変換器１０４の飽和しない最大入力レベルに対し３ｄＢ低いレベルになる。最後に、図４（ｃ）に示す入力信号に希望波と大きな妨害波が入った場合は、出力信号は希望波が前述の場合に比べ、非常に小さな信号になっているのが分かる。
【００３４】
次に、本発明にかかる自動利得制御装置について、ＩＦ自動利得制御器の動作を説明する。
【００３５】
ＲＦ−ＡＧＣ増幅器１０２を通った増幅されたＲＦ信号１２１は、局部発振器１０３で選局された信号を用い周波数変換器１０４で飽和することなくＩＦ信号に変換される。その後、ＩＦ選局フィルタを通し妨害波を除去し希望波のみにして、ＩＦ−ＡＧＣ増幅器１０６に入る。
【００３６】
ＩＦ−ＡＧＣ増幅器１０６の出力は、Ａ／Ｄ変換器１０７に入り、直交復調器１１３、ロールオフフィルタ１１４、波形等価器１１５とデジタル処理される。直交変調器１１３では、Ｉ信号及びＱ信号に変換され、ロールオフフィルタ１１４で伝播路上のノイズを減らし、波形等価器１１５でマルチパス等のゴーストを除去する。伝播路上のノイズやゴーストなど不要な信号を除去したＩ信号を復調レベル検出器１０８で信号の大きさをデジタルで計算し、ＩＦ−ＡＧＣ制御部１０９にフィードバックする。これにより、復調部に行くＩ信号及びＱ信号の大きさを一定に保ち精度の良い復調を行うことを可能にする。なお、レベル検知する信号はＩ信号のみならずＱ信号、あるいはその両信号としてもよい。
【００３７】
図４に、さらにＲＦ−ＡＧＣ増幅器１０２の出力信号とＩＦ−ＡＧＣ増幅器１０６の出力の信号の関係を示す。図４（ａ）に示す希望波のみの信号は、ＩＦ選局フィルタ１０５を通っても変化が無く、ＩＦ−ＡＧＣ増幅器１０６で最適Ｉ・Ｑ信号レベルに増幅される。次に、図４（ｂ）に示す入力信号に希望波と妨害波が同じレベルで入った場合は、ＩＦ選局フィルタ１０５で妨害波が除去され、上記希望波のみの場合に比べＩＦ−ＡＧＣ増幅器１０６が３ｄＢ大きい利得で、最適Ｉ・Ｑ信号レベルに増幅される。最後に、図４（ｃ）に示す入力信号に希望波と大きな妨害波が入った場合は、ＩＦ選局フィルタ１０５後の希望波は前述場合に比べ非常に小さな信号になっているので、ＩＦ−ＡＧＣ増幅器１０６により大きめの利得を与え、最適Ｉ・Ｑ信号レベルにしている。
【００３８】
次に、ＲＦ自動利得制御器とＩＦ自動利得制御器の応答速度について説明する。
【００３９】
ＲＦ自動利得制御器はアナログで粗く信号レベル調整を行い、０．１Ｈｚ〜２０Ｈｚ程度のフィードバック速度で応答を担当する。ＩＦ自動利得制御器はデジタルで細かく信号レベル調整を行い、２０Ｈｚ〜１０００Ｈｚ程度のフィードバック速度で応答を行う。２つの独立したフィードバックループを有する増幅器を直列に配置した場合、上記のようにその応答速度を異なるものとすることで、発振現象等の相互干渉を防止し、本願発明の動作をより確実なものとすることが出来る。
【００４０】
なお、上記数値は一例として述べたものであり、それに限定するものではない。ＲＦ自動利得制御器のフィードバックの応答速度を、ＩＦ自動利得制御器のフィードバックの応答速度に対して遅く設定しておけばよい。
【００４１】
ＲＦ自動利得制御器においては、ＲＦループ利得増幅器１１２の利得を変えることで、この応答速度を可変とすることが出来る。ＲＦループ利得増幅器１１２の利得を大きくすると、ＲＦ−ＡＧＣ増幅器１０２の出力レベルとＲＦリファレンス信号との差がわずかであっても利得の増減制御が大きく行われることになり、結果、所定の増幅率になる時間が短縮される。つまり、フィードバックの応答速度は速くなる。逆にＲＦループ利得増幅器１１２の利得を小さくすると、フィードバックの応答速度を遅く出来る。
【００４２】
ＲＦ自動利得制御器の応答速度は、通常は、家庭用テレビ等、受信信号のレベルが変動しない場合は、非常に遅く設定しておく。カーテレビ等の移動体になった場合は、ＲＦ自動利得制御器の応答速度を速くし、フィードバック速度を数十Ｈｚ（例えば１０Ｈｚ〜１００Ｈｚ程度）に設定しておけば、移動体においても信号変動に追従出来る。
【００４３】
上記のように構成された本発明の自動利得制御装置によれば、第１に、大きな妨害波がＲＦ入力信号に入った場合でも、希望波に妨害波を含めた入力信号レベルを検知し、周波数変換器の入力限界に合わせ簡易に、また精度良くフィードバックを行うことにより、波形が歪み混変調などの悪影響を起こす事なく良好な受信が可能である。
【００４４】
第２に、周波数変換器の入力レベルに想定した妨害波用のマージンを取る必要が無く、受信感度を向上できる。また、レベル比較器のリファレンス信号レベルを変える事により、簡易に周波数変換器の入力レベルを変更することが可能であり、変調方式に合わせた最適レベルの信号を周波数変換器に入力することも可能である。
【００４５】
第３に、ＲＦ自動利得制御器とＩＦ自動利得制御器が個別に動作し、またフィードバックループゲインも個別に設定できることより、移動体等に見られる入力信号の変動にも追従し精度の良い利得制御が可能となる。
【産業上の利用可能性】
【００４６】
本発明の自動利得制御装置は、大きな妨害波が存在する環境や入力信号の変動が大きな環境においても最適な増幅が可能となるもので、家庭内や移動体内のテレビジョン受像機等のＡＶ機器など、放送波を受信して動作する機器に用いて有用なものである。
【図面の簡単な説明】
【００４７】
【図１】本発明の自動利得制御装置の実施の形態の構成を示すブロック図
【図２】ＲＦ入力信号に妨害波がない場合のＲＦ入力信号レベルとＲＦ−ＡＧＣ増幅率の関係を示したグラフ
【図３】ＲＦ入力信号に妨害波がある場合のＲＦ入力信号レベルとＲＦ−ＡＧＣ増幅率の関係を示したグラフ
【図４】希望波と妨害波が混在する入力に対する出力レベルの関係を示す図
【図５】第１の従来技術の一例の構成を示すブロック図
【図６】第２の従来技術の一例の構成を示すブロック図
【符号の説明】
【００４８】
１０１    広帯域バンドパスフィルタ
１０２    ＲＦ−ＡＧＣ増幅器
１０３    局部発振器
１０４    周波数変換器
１０５    ＩＦ選局フィルタ
１０６    ＩＦ−ＡＧＣ増幅器
１０７    Ａ／Ｄ変換器
１０８    復調レベル検出器
１０９    ＩＦ−ＡＧＣ制御部
１１０    ＲＦレベル検出器
１１１    レベル比較器
１１２    ＲＦループ利得増幅器
１１３    直交復調器
１１４    ロールオフフィルタ
１１５    波形等価器
１２０    ＲＦ入力信号
１２１    周波数変換器に入るＲＦ信号
１２２    波形等価出力のＩ信号
１２３    ＩＦ−ＡＧＣ制御信号
１２４    ＲＦ−ＡＧＣ制御信号
１２５    ＲＦリファレンス信号
１２６    ＲＦループ利得制御信号
【図１】
2005192060.tif 000003
【図２】
2005192060.tif 000004
【図３】
2005192060.tif 000005
【図４】
2005192060.tif 000006
【図５】
2005192060.tif 000007
【図６】
2005192060.tif 000008